(57)【要約】【課題】本発明は外部光の周波数によって、リフレッシュ周波数を自動的に調整することができる液晶表示装置及びそのリフレッシュ周波数を調整する方法を提供することを目的とする。【解決手段】本発明の液晶表示装置は、液晶パネルに光センサーを設けて、前記光センサーによって、外部光の光信号を検出しており、さらに、駆動コントローラーによって、前記液晶表示装置のリフレッシュ周波数を自動的に調節する。【選択図】図２
2007171900.tif 000002
【特許請求の範囲】
【請求項１】
液晶パネルと、前記液晶パネルにスキャン信号を提供するためのスキャンドライバーと、前記液晶パネルに映像データ信号を提供するためのデータドライバーと、駆動コントローラーとを備える液晶表示装置であって、前記液晶表示装置は、さらに、外部光の光信号を検出する光センサーを備え、前記駆動コントローラーは、光センサーから出力される光信号を受信して識別し、且つ、光信号の周波数によって、スキャンドライバーとデータドライバーを制御し、液晶パネルのリフレッシュ周波数を調整する
ことを特徴とする液晶表示装置。
【請求項２】
前記駆動コントローラーは、順番に接続される信号プロセッサーユニットと、周波数識別ユニットと、周波数調節ユニットと、周波数制御ユニットとを備え、前記信号プロセッサーユニットは、前記光センサーに接続され、前記周波数制御ユニットは、前記スキャンドライバーとデータドライバーに接続されることを特徴とする請求項１に記載の液晶表示装置。
【請求項３】
前記周波数調節ユニットは、外部光のサンプリング周波数に応じて、該外部光のサンプリング周波数を液晶表示装置のリフレッシュ周波数に転化することができることを特徴とする請求項２に記載の液晶表示装置。
【請求項４】
前記周波数制御ユニットは、前記スキャンドライバーとデータドライバーを制御することにより、液晶表示装置のリフレッシュ周波数を調整することを特徴とする請求項２に記載の液晶表示装置。
【請求項５】
光センサーと液晶パネルを備える液晶表示装置のリフレッシュ周波数を自動的に調整する方法において、
光センサーによって、外部光の光信号を検出するステップと、
該外部光のサンプリング周波数を判断するステップと、
前記液晶パネルのリフレッシュ周波数を調整するステップと、
を備えることを特徴とする液晶表示装置のリフレッシュ周波数を自動的に調整する方法。
【請求項６】
前記液晶表示装置は、さらに、前記液晶パネルに接続されるスキャンドライバー及びデータドライバーと、前記スキャンドライバー及びデータドライバーを制御するための駆動コントローラーとを備え、前記駆動コントローラーは、前記光センサーに接続され、信号プロセッサーユニット及び周波数識別ユニットを備え、前記信号プロセッサーユニットと周波数識別ユニットによって、外部光のサンプリング周波数を判断することを特徴とする請求項５に記載の液晶表示装置のリフレッシュ周波数を自動的に調整する方法。
【請求項７】
前記駆動コントローラーは、さらに、周波数調節ユニット及び周波数制御ユニットを備え、前記周波数調節ユニットと周波数制御ユニットによって、前記液晶表示装置のリフレッシュ周波数を調整することを特徴とする請求項６に記載の液晶表示装置のリフレッシュ周波数を自動的に調整する方法。
【発明の詳細な説明】
【技術分野】
【０００１】
本発明は、液晶表示装置及びそのリフレッシュ周波数を自動的に調整する方法に関するものである。
【背景技術】
【０００２】
液晶表示装置は平面表示装置の一例であり、軽量、薄型、低消費電力の特性を持ち、現状のＣＲＴ表示装置の代替、又は、パーソナル・コンピュータ、ワードプロセッサ、テレビ表示用等の各種表示装置として利用されて注目を浴びている。
【０００３】
図１は、従来の液晶表示装置の構成を示す図である。液晶表示装置１００は、駆動コントローラー１１０と、前記駆動コントローラー１１０に接続されるデータドライバー１２０と、前記駆動コントローラー１１０に接続されるスキャンドライバー１３０と、前記データドライバー１２０及びスキャンドライバー１３０に接続される液晶パネル１４０とを備える。前記駆動コントローラー１１０は、前記データドライバー１２０及びスキャンドライバー１３０を制御しており、前記スキャンドライバー１３０は、液晶パネル１４０にスキャン信号を出力して、前記データドライバー１２０は、液晶パネル１４０に映像データ信号を出力することにより、液晶パネル１４０で映像を表示する。
【０００４】
しかし、前記液晶表示装置１００のリフレッシュ周波数の設定値は、システムが初期化される時、駆動コントローラー１１０に記憶されているが、液晶表示装置の位置が変わって、異なった周波数の外部光に遭った時、外部光の周波数によって、リフレッシュ周波数を自動的に調整することができなく、さらに、ユーザの目が疲れやすくなるという問題があった。
【発明の開示】
【発明が解決しようとする課題】
【０００５】
本発明の第一の目的は、前記のこうした課題を解決し、リフレッシュ周波数を自動的に調整することができる液晶表示装置を提供することである。
【０００６】
本発明の第二の目的は、前記液晶表示装置のリフレッシュ周波数を調整する方法を提供することである。
【課題を解決するための手段】
【０００７】
前記第一の目的を達成するため、本発明は、液晶パネルと、前記液晶パネルにスキャン信号を提供するためのスキャンドライバーと、前記液晶パネルに映像データ信号を提供するためのデータドライバーと、駆動コントローラーとを備える液晶表示装置であって、前記液晶表示装置はさらに外部光の光信号を検出する光センサーを備え、前記駆動コントローラーは、光センサーから出力される光信号を受信して識別し、且つ、該光信号の周波数によって、スキャンドライバーとデータドライバーを制御し、液晶パネルのリフレッシュ周波数を調整する。
【０００８】
前記第二の目的を達成するため、本発明に係る光センサーと液晶パネルを備える液晶表示装置のリフレッシュ周波数を自動的に調整する方法は、光センサーによって、外部光を検出するステップと、該外部光のサンプリング周波数を判断するステップと、前記液晶パネルのリフレッシュ周波数を調整するステップとを備える。
【発明の効果】
【０００９】
本発明の液晶表示装置は、外部光の周波数によって、リフレッシュ周波数を自動的に調整することができる。
【発明を実施するための最良の形態】
【００１０】
図２は、本発明の液晶表示装置の構成を示す図である。液晶表示装置２００は、光センサー２１０と、駆動コントローラー２２０と、データドライバー２３０と、スキャンドライバー２４０と、液晶パネル２５０とを備える。前記光センサー２１０は、前記液晶パネル２５０に設けられ、外部光の光信号を検出することができ、かつ、検出した光信号を前記駆動コントローラー２２０に伝達する。前記駆動コントローラー２２０は、光センサー２１０から出力される外部光信号を受信して、該外部光のサンプリング周波数を検出し、これにより、前記液晶パネル２５０のリフレッシュ周波数を調整し、且つ、前記データドライバー２３０とスキャンドライバー２４０にクロック制御信号を提供する。
【００１１】
図３は、図２に示す駆動コントローラーの構成を示す図である。駆動コントローラー２２０は、信号プロセッサーユニット２２１と、周波数識別ユニット２２２と、周波数調節ユニット２２３と、周波数制御ユニット２２４とを備える。前記信号プロセッサーユニット２２１と、周波数識別ユニット２２２と、周波数調節ユニット２２３と、周波数制御ユニット２２４は順番に接続される。前記信号プロセッサーユニット２２１は、光センサー２１０(図中非表示)に接続され、光センサー２１０から出力される外部光信号Ｓ１を受信してから、該外部光信号Ｓ１を周波数識別ユニット２２２が識別できる周波数信号Ｓ２に転化し、且つ、該周波数信号Ｓ２を周波数識別ユニット２２２に伝達する。前記周波数識別ユニット２２２は、周波数信号Ｓ２を検出することにより、信号周波数Ｆａを生成し、且つ、該信号周波数Ｆａを前記周波数調節ユニット２２３に伝達する。前記周波数調節ユニット２２３は、周波数識別ユニット２２２から出力される信号周波数Ｆａ  を前記液晶表示装置のリフレッシュ周波数Ｆｓに転化し、且つ、前記リフレッシュ周波数Ｆｓの値を周波数制御ユニット２２４に伝達する。前記周波数制御ユニット２２４は、それぞれデータドライバー２３０とスキャンドライバー２４０に制御信号を提供することにより、前記液晶パネル２５０のリフレッシュ周波数をＦｓに調整する。例えば、外部光のサンプリング周波数が５０Ｈｚである場合、それに応じて、液晶パネル２５０のリフレッシュ周波数を６７Ｈｚに調整することができる。
【００１２】
勿論、本実施形態は次の通りに変形することができる。例えば、光センサーの数量は複数でもよく、且つ、その位置も制限を受けないため、液晶パネル上のどの位置にあるかに関係なく、外部光の周波数を検出することができればよい。
【００１３】
以下、本発明の液晶表示装置のリフレッシュ周波数を自動的に調整する方法を説明する。図４は、本発明の液晶表示装置の周波数を調整する方法を示すフロー・チャートである。本方法は、図２〜４を参照して、以下の三つのステップを備える。
【００１４】
ステップ１で、光センサー２１０によって、外部光の光信号を検出する。
【００１５】
ステップ２で、駆動コントローラー２２０の信号プロセッサーユニット２２１は、光センサー２１０から出力される外部光信号を受信してから、該外部光信号を周波数識別ユニット２２２が識別できる周波数信号に転化し、前記周波数識別ユニット２２２は、前記周波数信号の周波数を判断することにより、外部光のサンプリング周波数を判断する。
【００１６】
ステップ３で、駆動コントローラー２２０の周波数調節ユニット２２３は、周波数識別ユニット２２２から出力される信号周波数を受信し、且つ、前記液晶表示装置のリフレッシュ周波数に転化し、周波数制御ユニット２２４によって、クロック制御信号をデータドライバー２３０とスキャンドライバー２４０に提供することにより、前記液晶パネル２５０のリフレッシュ周波数を調整する。
【００１７】
液晶表示装置２００は、光センサー２１０によって、外部光の光信号を検出することができ、さらに、駆動コントローラー２２０によって、前記液晶表示装置２５０のリフレッシュ周波数を自動的に調整することができる。
【図面の簡単な説明】
【００１８】
【図１】従来の液晶表示装置の構成を示す図である。
【図２】本発明の液晶表示装置の構成を示す図である。
【図３】図２に示す駆動コントローラーの構成を示す図である。
【図４】本発明の液晶表示装置の周波数を調整する方法を示すフロー・チャートである。
【符号の説明】
【００１９】
２００  液晶表示装置
２１０  光センサー
２２０  駆動コントローラー
２２１  信号プロセッサーユニット
２２２  周波数識別ユニット
２２３  周波数調節ユニット
２２４  周波数制御ユニット
２３０  データドライバー
２４０  スキャンドライバー
２５０  液晶パネル
【図１】
2007171900.tif 000003
【図２】
2007171900.tif 000004
【図３】
2007171900.tif 000005
【図４】
2007171900.tif 000006